(57)【要約】      （修正有）【課題】外部から加わる衝撃の向きによらず収容物を緩衝的に保護することができ、組み立ても容易な緩衝仕切り付き包装用箱を提供する。【解決手段】緩衝仕切り付き包装用箱は、１枚の箱体形成片１２から組み立てられ、順に連接された第一側面板１４、背面板１６、第二側面板１８及び正面板６０が矩形の外側筒状体を形成する。外側筒状体の上側及び下側開口部を、上蓋片４４、下蓋片５２、フラップ２８，３２，４０で閉じる。外側筒状体の内側に、正面板６０の端辺から順に連接された第一糊付板７６、背面仕切板６４、第二仕切板６６、正面仕切板６８、第一仕切板７０及び第二糊付板７２が、矩形の収容部を形成する。収容部の上側及び下側開口部を横切るように、緩衝片８８，９２が位置する。収容部には収容物が収容され、収容物の上下端部を緩衝片８８，９２によって緩衝的に係止する。【選択図】図２
0003164694.tif 000002
【実用新案登録請求の範囲】
【請求項１】
一枚のブランクシートから一体的に打ち抜かれた箱体形成片から成り、前記箱体形成片には、第一側面板、背面板、第二側面板、正面板が順に互いに平行な折罫線を介して連接され、この連接方向に対して直角な所定の端部に上蓋及び下蓋を成す端面部材が延設され、前記箱体形成片を組み立てた状態で、前記第一側面板、前記背面板、前記第二側面板及び前記正面板が矩形の外側筒状体を形成し、その上側及び下側開口部が前記上蓋及び下蓋により各々閉じられて成る緩衝仕切り付き包装用箱において、
前記正面板の連接方向の端部には、折罫線を介して第一糊付板、背面仕切板、第二仕切板、正面仕切板、第一仕切板及び第二糊付板が順に連接され、
前記第一糊付板は、連接方向長さが前記第一側面板の連接方向長さよりも短く、前記背面仕切板との境界が、前記正面板の連接方向の端辺と平行な第一折罫線で区切られ、
前記背面仕切板は、連接方向長さが前記背面板の連接方向長さよりも短く、前記第二仕切板との境界が、前記第一折罫線と平行な第二折罫線で区切られ、
前記第二仕切板は、連接方向長さが前記第二側面板の連接方向長さよりも短く、前記正面仕切板と境界が、前記第二折罫線と平行な第三折罫線で区切られ、
前記正面仕切板は、連接方向長さが前記背面仕切板の連接方向長さよりも短く、前記第一仕切板との境界が、前記第三折罫線と平行な第四折罫線で区切られ、
前記第一仕切板は、連接方向長さが前記第二仕切板の連接方向長さと等しく、前記第二糊付板と境界が、前記第四折罫線と平行な第五折罫線で区切られ、
前記第二糊付板は、連接方向長さが前記正面仕切板の連接方向長さよりも短く設けられ、
前記背面仕切板、前記第二仕切板、前記正面仕切板及び前記第一仕切板の連接方向に対して直角な所定の端部に緩衝部材が延設され、
前記箱体形成片を組み立てた状態で、
前記第一糊付板の表面が前記第一側面板の裏面に糊付され、前記正面仕切板の一部であって前記第二仕切板から延設された糊付片の表面が前記正面板の裏面に糊付されることによって、前記背面仕切板が前記背面板と隙間を空けて対面し保持されると共に、前記第二仕切板が前記第二側面板と隙間を空けて対面し保持され、
前記第二糊付板の表面が前記背面仕切板の裏面に糊付されることにより、前記正面仕切板が前記正面板と隙間を空けて対面し保持される共に、前記第一仕切板が前記第一側面板と隙間を空けて対面し保持され、
前記正面仕切板、前記背面仕切板、前記第一仕切板及び前記第二仕切板により形成された筒状の収容部に収容物が収容され、
前記緩衝部材は、前記上蓋及び下蓋の内側に収まり、前記収容部の上側及び下側開口部をそれぞれ横切るように位置し、前記収容物の上下端部を係止することを特徴とする緩衝仕切り付き包装用箱。
【請求項２】
前記緩衝部材は、前記正面仕切板、前記背面仕切板、前記第一仕切板及び前記第二仕切板の連接方向に対して直角な所定の一端部に延設された緩衝片であり、
前記上蓋及び下蓋を閉じた状態で、前記緩衝片の一部が前記上蓋及び下蓋の内側面に係止される請求項１記載の緩衝仕切り付き包装用箱。
【請求項３】
前記緩衝部材は、前記正面仕切板、前記背面仕切板、前記第一仕切板及び前記第二仕切板の連接方向に対して直角な所定の端部に延設された緩衝片であり、
前記緩衝片は、前記収容部の上側及び下側開口部にそれぞれに、互いの先端部が一対に対向するように設けられ、その先端部同士が互いに係合して前記収容部の上側及び下側開口部をそれぞれ覆う請求項１記載の緩衝仕切り付き包装用箱。
【請求項４】
前記緩衝部材は、前記正面仕切板、前記背面仕切板、前記第一仕切板及び前記第二仕切板の連接方向に対して直角な一端部に延設された内蓋片と、その内蓋片の先端に延設された補助緩衝片とで構成され、
前記上蓋及び下蓋を閉じた状態で、前記内蓋片が前記収容部の上側及び下側開口部をそれぞれ塞ぎ、前記補助緩衝片の一部が前記上蓋及び下蓋の内側面に係止されることによって前記内蓋片が保持される請求項１記載の緩衝仕切り付き包装用箱。
【請求項５】
前記緩衝部材は、前記正面仕切板、前記背面仕切板、前記第一仕切板及び前記第二仕切板の連接方向に対して直角な一端部に延設された内蓋片と、前記上蓋及び下蓋を成す端面部材の先端に延設された補助緩衝片とで構成され、
前記上蓋及び下蓋を閉じた状態で、前記内蓋片が前記収容部の上側及び下側開口部をそれぞれ塞ぎ、前記補助緩衝片の一部が前記内蓋片に係止されることによって前記内蓋片が保持される請求項１記載の緩衝仕切り付き包装用箱。
【考案の詳細な説明】
【技術分野】
【０００１】
この考案は、緩衝用の仕切りで囲まれた収容部が内側に設けられ、瓶などの破損しやすい収容物を保護する緩衝仕切り付き包装用箱に関する。
【背景技術】
【０００２】
従来、ブランクシートから一体的に打ち抜かれた箱体形成片を折り曲げて糊付けし、ワンタッチで引き起こして組み立てられる包装用箱がある。特に、筒状のガラス瓶等の衝撃に弱い収容物を包装する包装用箱の場合は、収容物を保持するための緩衝用の仕切りも、箱体形成片に一体に設けられている。
【０００３】
例えば、特許文献１に開示されている包装容器は、正面板、一側面板、背面板、他側面板が順に連接され、正面板、一側面板、背面板及び他側面板の連接方向に対して直角な所定の端辺に上下蓋片やフラップが延設され、組み立てた状態で、正面板、一側面板、背面板及び他側面板が矩形の外周壁を形成し、その上下の両端が上蓋及び下蓋で閉じられる。さらに、他側面板の連接方向の端辺には、裏正面板、内方一側面板、内方背面板、内方他側面板、内方正面板、糊代が順に連接され、組み立てた状態で、裏正面板が正面板に貼着され、糊代が内方側面板に接着されることにより、内方一側面板、内方背面板、内方他側面板及び内方正面板が矩形の内周壁を形成する。さらに、内方背面板の部分にコの字状の切れ目が設けられ、組み立てた状態で、コの字状の先端部が切り起こされ背面板の内側面に貼着されている。すなわち、上記内周壁は、裏正面板と正面板との貼着部分と、内方背面板の切り起こし先端部と背面板との貼着部分によって周壁に固定される。また、内周壁の下側部分には、その対角線上の２箇所に所定の切り抜き穴が設けられ、組み立てた状態で、切り抜き穴の下側部分が内方に折り曲げられ、収容物の下端部を支持するＬ字状の支持部を形成する。
【先行技術文献】
【特許文献】
【０００４】
【特許文献１】特開２００３−８１２５６号公報
【考案の概要】
【考案が解決しようとする課題】
【０００５】
特許文献１の包装容器の場合、筒状の収容物の側面を内周壁で四方から囲み、収容物の下端部を支持部で支持する緩衝構造を備えているが、収容物の上端部は支持されない。従って、輸送時に外部から衝撃がると、その衝撃の向きによっては収容物の上端部が上蓋に衝突し、収容物が破損してしまうおそれがあった。
【０００６】
この考案は、上記背景技術に鑑みて成されたもので、外部から加わる衝撃の向きによらず収容物を緩衝的に保護することができ、組み立ても容易な緩衝仕切り付き包装用箱を提供することを目的とする。
【課題を解決するための手段】
【０００７】
本考案は、一枚のブランクシートから一体的に打ち抜かれた箱体形成片から成り、前記箱体形成片には、第一側面板、背面板、第二側面板、正面板が順に互いに平行な折罫線を介して連接され、この連接方向に対して直角な所定の端部に上蓋及び下蓋を成す端面部材が延設され、前記箱体形成片を組み立てた状態で、前記第一側面板、前記背面板、前記第二側面板及び前記正面板が矩形の外側筒状体を形成し、その上側及び下側開口部が前記上蓋及び下蓋により各々閉じられて成る緩衝仕切り付き包装用箱であって、
前記正面板の連接方向の端部には、折罫線を介して第一糊付板、背面仕切板、第二仕切板、正面仕切板、第一仕切板及び第二糊付板が順に連接され、前記第一糊付板は、連接方向長さが前記第一側面板の連接方向長さよりも短く、前記背面仕切板との境界が、前記正面板の連接方向の端辺と平行な第一折罫線で区切られ、前記背面仕切板は、連接方向長さが前記背面板の連接方向長さよりも短く、前記第二仕切板との境界が、前記第一折罫線と平行な第二折罫線で区切られ、前記第二仕切板は、連接方向長さが前記第二側面板の連接方向長さよりも短く、前記正面仕切板と境界が、前記第二折罫線と平行な第三折罫線で区切られ、前記正面仕切板は、連接方向長さが前記背面仕切板の連接方向長さよりも短く、前記第一仕切板との境界が、前記第三折罫線と平行な第四折罫線で区切られ、前記第一仕切板は、連接方向長さが前記第二仕切板の連接方向長さと等しく、前記第二糊付板と境界が、前記第四折罫線と平行な第五折罫線で区切られ、前記第二糊付板は、連接方向長さが前記正面仕切板の連接方向長さよりも短く設けられ、さらに、前記背面仕切板、前記第二仕切板、前記正面仕切板及び前記第一仕切板の連接方向に対して直角な所定の端部に緩衝部材が延設され、
前記箱体形成片を組み立てた状態で、前記第一糊付板の表面が前記第一側面板の裏面に糊付され、前記正面仕切板の一部であって前記第二仕切板から延設された糊付片の表面が前記正面板の裏面に糊付されることによって、前記背面仕切板が前記背面板と隙間を空けて対面し保持されると共に、前記第二仕切板が前記第二側面板と隙間を空けて対面し保持され、前記第二糊付板の表面が前記背面仕切板の裏面に糊付されることにより、前記正面仕切板が前記正面板と隙間を空けて対面し保持される共に、前記第一仕切板が前記第一側面板と隙間を空けて対面し保持され、
前記正面仕切板、前記背面仕切板、前記第一仕切板及び前記第二仕切板により形成された筒状の収容部に収容物が収容され前記緩衝部材は、前記上蓋及び下蓋の内側に収まり、前記収容部の上側及び下側開口部をそれぞれ横切るように位置し、前記収容物の上下端部を係止する緩衝仕切り付き包装用箱である。
【０００８】
前記緩衝部材は、前記正面仕切板、前記背面仕切板、前記第一仕切板及び前記第二仕切板の連接方向に対して直角な所定の一端部に延設された緩衝片であり、前記上蓋及び下蓋を閉じた状態で、前記緩衝片の一部が前記上蓋及び下蓋の内側面に係止される。
【０００９】
また、前記緩衝部材は、前記正面仕切板、前記背面仕切板、前記第一仕切板及び前記第二仕切板の連接方向に対して直角な所定の端部に延設された緩衝片であり、前記緩衝片は、前記収容部の上側及び下側開口部にそれぞれに、互いの先端部が一対に対向するように設けられ、その先端部同士が互いに係合して前記収容部の上側及び下側開口部をそれぞれ覆う。
【００１０】
また、緩衝部材は、前記正面仕切板、前記背面仕切板、前記第一仕切板及び前記第二仕切板の連接方向に対して直角な一端部に延設された内蓋片と、その内蓋片の先端に延設された補助緩衝片とで構成され、前記上蓋及び下蓋を閉じた状態で、前記内蓋片が前記収容部の上側及び下側開口部をそれぞれ塞ぎ、前記補助緩衝片の一部が前記上蓋及び下蓋の内側面に係止されることによって前記内蓋片が保持される。
【００１１】
また、前記緩衝部材は、前記正面仕切板、前記背面仕切板、前記第一仕切板及び前記第二仕切板の連接方向に対して直角な一端部に延設された内蓋片と、前記上蓋及び下蓋を成す端面部材の先端に延設された補助緩衝片とで構成され、前記上蓋及び下蓋を閉じた状態で、前記内蓋片が前記収容部の上側及び下側開口部をそれぞれ塞ぎ、前記補助緩衝片の一部が前記内蓋片に係止されることによって前記内蓋片が保持される。
【考案の効果】
【００１２】
本考案の緩衝仕切り付き包装用箱は、外側筒状体の内側にあって収容物の側面を保持する筒状の収容部と、その収容部の上側及び下側開口部に配置され収容物の上下端部を保持する緩衝部材を有しているので、外部からどの向きに衝撃が加わっても、収容部自体又は緩衝部材自体の柔軟性によって緩衝されるので、収容物が外側筒状体に接触して破損する心配がない。
【００１３】
また、外側筒状体などの外箱部分と緩衝仕切りなどの内箱部分の全てを、１つの箱体形成片に一体に設けることができるので、工場等における部材管理が容易で、組み立て方法も簡単である。
【図面の簡単な説明】
【００１４】
【図１】この考案の緩衝仕切り付き包装用箱の第一実施形態において、収容部に収容物を入れる様子を示す斜視図（ａ）、下蓋片を閉じる様子を示す斜視図（ｂ）である。
【図２】第一実施形態の緩衝仕切り付き包装用箱を展開した箱体形成片を裏面から見た平面図である。
【図３】第一実施形態の緩衝仕切り付き包装用箱の組立工程を説明する平面図である。
【図４】第一実施形態の緩衝仕切り付き包装用箱の組立工程を説明する平面図である。
【図５】第一実施形態の緩衝仕切り付き包装用箱の組立工程を説明する平面図である。
【図６】第一実施形態の緩衝仕切り付き包装用箱の組立工程を説明する平面図である。
【図７】第一実施形態の緩衝仕切り付き包装用箱の内部の糊付け箇所を説明する模式図（ａ）、斜視図（ｂ）である。
【図８】この考案の緩衝仕切り付き包装用箱の第二実施形態において、収容部に収容物を入れる様子を示す斜視図（ａ）、下蓋片を閉じる様子を示す斜視図（ｂ）である。
【図９】第二実施形態の緩衝仕切り付き包装用箱を展開した箱体形成片を裏面から見た平面図である。
【図１０】この考案の緩衝仕切り付き包装用箱の第三実施形態において、収容部に収容物を入れる様子を示す斜視図（ａ）、下蓋片を閉じる様子を示す斜視図（ｂ）である。
【図１１】第三実施形態の緩衝仕切り付き包装用箱を展開した箱体形成片を裏面から見た平面図である。
【図１２】この考案の緩衝仕切り付き包装用箱の第四実施形態において、収容部に収容物を入れる様子を示す斜視図（ａ）、下蓋片を閉じる様子を示す斜視図（ｂ）である。
【図１３】この考案の緩衝仕切り付き包装用箱の第五実施形態において、収容部に収容物を入れる様子を示す斜視図（ａ）、下蓋片を閉じる様子を示す斜視図（ｂ）である。
【図１４】第五実施形態の緩衝仕切り付き包装用箱を展開した箱体形成片を裏面から見た平面図である。
【考案を実施するための形態】
【００１５】
以下、この考案の第一実施形態の緩衝仕切り付き包装用箱１０について、図１〜図７に基づいて説明する。緩衝機能付包装用箱１０は、厚紙等のブランクシートから打ち抜かれた一枚の箱体形成片１２を折り畳んで糊付けし、引き起こすことによって組み立てられる箱体である。組み立てられた緩衝仕切り付き包装用箱１０は、図１に示すように、略矩形で縦長の外側筒状体Ｓ１と、その内側に所定の隙間を空けて対面するように配置された緩衝仕切りである筒状の収容部Ｓ２とを有し、ガラス瓶等の衝撃に弱い収容物Ｗを収容部Ｓ２内で緩衝的に保持する。
【００１６】
箱体形成片１２は、裏面から見た展開図である図２に示すように、組み立て状態で一方の側面となる第一側面板１４から順に、第一側面板１４、背面板１６、第二側面板１８、正面板２０が、互いに平行に連接して形成され、互いに平行な折罫線２２，２４，２６で各々区切られている。第一側面板１４、背面板１６、第二側面板１８、正面板２０は、連接する幅方向の長さがほぼ同じであり、連接方向の長さは、第一側面板１４及び第二側面板１８がほぼ等しく短く、背面板１６、正面板２０がほぼ等しく長くになっている。
【００１７】
第一側面板１４の、背面板１６との連接方向に対して直角な一端辺には、台形状の端面部材であるフラップ２８が折罫線３０で区切られて設けられている。フラップ２８の折罫線３０から先端までの長さは、背面板１６の連接方向長さの１／２程度である。同様に、第一側面板１４の折罫線３０と反対側の端辺にも、フラップ２８とほぼ同形のフラップ３２が折罫線３４で区切られて設けられている。
【００１８】
第二側面板１８の、正面板２０との連接方向に対して直角な一端辺には、フラップ２８とほぼ同形のフラップ３６が折罫線３８で区切られて設けられている。同様に、第二側面板１８の折罫線３８と反対側の端辺にも、フラップ２８とほぼ同形のフラップ４０が折罫線４２で区切られて設けられている。
【００１９】
背面板１６の、第二側面板１８との連接方向に対して直角な一端辺であって、フラップ３６と隣接する端辺には、端面部材である上蓋片４４と差込片４６とが順に連接され、各々折罫線４８，５０で区切られている。上蓋片４４の折罫線４８から折罫線５０までの長さは、第二側面板１８の連接方向長さにほぼ等しく、差込片４６の折罫線５０から先端までの長さは、上蓋片４４の上記長さの１／４程度である。背面板１６の折罫線４８と反対側の端辺には、下蓋片５２と差込片５４とが順に連接され、各々折罫線５６，５８で区切られている。下蓋片５２及び差込片５４は、上蓋片４４及び差込片４６とほぼ同形である。
【００２０】
正面板２０の、フラップ３６と隣接する側の端辺の中央部であって、組み立て状態で内側に差込片４６が差し込まれる部分には、台形状の開封用ミシン目６０が設けられている。
【００２１】
さらに、正面板２０の連接方向の端辺に、第一糊付板６２、背面仕切板６４、第二仕切板６６、正面仕切板６８、第一仕切板７０及び第二糊付板７２が順に連接されている。
【００２２】
第一糊付板６２は、正面板２０との境界が折罫線７４で区切られ、背面仕切板６４との境界が、折罫線７４と平行な第一折罫線７６で区切られている。連接方向長さは第一側面板１４の連接方向長さよりも短く、折罫線７４から第一折罫線７６にかけて幅方向長さが短くなっている。
【００２３】
背面仕切板６４は、第二仕切板６６との境界が、第一折罫線７６と平行な第二折罫線７８で区切られている。第二折罫線７８は、途中の２箇所にコの字状の補助切り込み７８ａが付加され、組み立てるときに第二折罫線７８を折り曲げやすくしている。また、背面仕切板６４の連接方向長さは、背面板１６の連接方向長さよりも短く、幅方向長さは、第一折罫線７６から第二折罫線７８にかけてほぼ一様である。
【００２４】
第二仕切板６６は、正面仕切板６８との境界が、第二折罫線７８と平行な第三折罫線８０で区切られている。連接方向長さは第二側面板１８の連接方向長さよりも短く、幅方向長さは、第二折罫線７８から第三折罫線８０にかけてほぼ一様である。
【００２５】
正面仕切板６８は、第一仕切板７０との境界が、第三折罫線８０と平行な第四折罫線８２で区切られている。第四折罫線８２は、途中の２箇所にコの字状の補助切り込み８２ａが付加され、組み立てるときに第四折罫線８２を折り曲げやすくしている。正面仕切板６８の連接方向長さは、背面板１６の連接方向長さよりも短く、幅方向長さは、第三折罫線８０から第四折罫線８２にかけてほぼ一様である。
【００２６】
また、正面仕切板６８には、第三折罫線８０の部分から延びる糊付片８４を切り出すコの字状の切り込み８６が設けられ、その根元からやや先端寄りの部分に、第三折罫線８０と平行な補助折罫線８６ａが設けられている。
【００２７】
さらに、正面仕切板６８の、第二仕切板６６との連接方向に対して直角な一端辺には、略矩形の緩衝部材である緩衝片８８が折罫線９０で区切られて設けられている。緩衝片８８の折罫線９０から先端までの長さは、２つの側面板１４，１８の連接方向長さ程度に設けられている。同様に、正面仕切板６８の折罫線９０と反対側の端辺にも、緩衝片８８とほぼ同形の緩衝片９２が折罫線９４で区切られて設けられている。
【００２８】
第一仕切板７０は、第二糊付板７２との境界が、第四折罫線８２と平行な第五折罫線９６で区切られている。連接方向長さは第二仕切板６６の連接方向長さとほぼ等しく、幅方向長さは、第四折罫線８２から第五折罫線９６にかけてほぼ一様である。
【００２９】
第二糊付板７２は、連接方向長さが正面仕切板６８の連接方向長さの１／２程度で、幅方向長さが第五折罫線９６から先端にかけて徐々に短くなっている。
【００３０】
次に、緩衝機能付包装用箱１０の組立方法の一例について説明する。ここで、図２〜図６は箱体形成片１２の裏面を見たものであり、以下、箱体形成片１２の表面が凸になる折り方を正折り、そして裏面が凸になる折り方を逆折りと称する。
【００３１】
まず、図２のように展開された箱体形成片１２を、図３に示すように第四折罫線８２で正折りする。次に、図３に示すように、第二糊付板７２の表面に糊９８を塗布し、図４に示すように、第二折罫線７８を正折りする。これにより、第二糊付板７２の表面が背面仕切板６４の裏面に糊付される。
【００３２】
次に、図４に示すように、糊付片８４の表面に糊１００を塗布し、図５に示すように、折罫線７４を正折りする。これにより、糊付片８４の表面が正面板２０の裏面に糊付される。次に、図５に示すように、第一糊付板６２の表面に糊１０２を塗布し、図６に示すように、折罫線２４を正折りする。これにより、第一側面板１４の裏面が第一糊付板６２の表面に糊付される。このようにして箱体形成片１２は折り畳み状態となり、この状態で出荷される。
【００３３】
次に、収容物Ｗを収容し包装する工場等において、折罫線２２，２６を各々９０度に正折りし、四角形の箱体にする。すると、図７（ａ），（ｂ）に示すように、第一糊付板６２の表面が第一側面板１４の裏面に糊付けされているので、第一側面板１４、背面板１６、第二側面板１８、正面板２０及び第一糊付板６２が外側筒状体Ｓ１を形成する。なお、図７では、フラップ２８，３２，３６，４０、上蓋片４４及び差込片４６、下蓋片５２及び差込片５４を省略してある。
【００３４】
このとき、外側筒状体Ｓ１の内側は、糊付片８４の表面が正面板２０の裏面に糊付されているので、第一折罫線７６と補助折罫線８６ａが正折りされ、背面仕切板６４が背面板１６と隙間を空けて対面すると共に、第二仕切板６６が第二側面板１８と隙間を空けて対面する。また、第二糊付板７２の表面が背面仕切板６４の裏面に糊付されているので、第三折罫線８０と第五折罫線９６が正折りされ、正面仕切板６８が正面板２０と隙間を空けて対面すると共に、第一仕切板７０が第一側面板１４と隙間を空けて対面する。このようにして、背面仕切板６４、第二仕切板６６、正面仕切板６８及び第一仕切板７０で囲まれた収容部Ｓ２が形成される。
【００３５】
次に、図１（ｂ）に示すように、外側筒状体Ｓ１の下蓋の側を閉じる。まず、折罫線９４を正折りして緩衝片９２を斜めに倒し、折罫線３４，４２を各々９０度に正折りしてフラップ３２，４０を倒し、さらに折罫線５６，５８を各々９０度に正折りし、下蓋片５２で外側筒状体Ｓ１の下方開口部を閉鎖すると共に、差込片５４を正面板２０の裏面側に差し込む。このようにして、図１（ａ）に示す緩衝機能付包装用箱１０が組み立てられる。
【００３６】
この状態で、収容部Ｓ２の中に収容物Ｗを入れると、収容物Ｗの側面が、背面仕切板６４、第二仕切板６６、正面仕切板６８及び第一仕切板７０によって四方から保持され、収容物Ｗの下端部が、緩衝片９２の裏面に斜めに当接する。緩衝片９２は、自身の先端部が下蓋片５２の内側に係止されるので、収容物Ｗからの押圧を受けて弾性的に撓み、その撓みを復帰させようとする弾発力によって収容物Ｗを支持する。
【００３７】
次に、外側筒状体Ｓ１の上蓋の側を閉じる。まず、折罫線９０を正折りして緩衝片８８を斜めに倒し、折罫線３０，３８を各々９０度に正折りしてフラップ２８，３６を倒し、さらに折罫線４８，５０を各々９０度に正折りし、上蓋片４４で外側筒状体Ｓ１の上方開口部を閉鎖すると共に、差込片４６を正面板２０の裏面側に差し込む。すると、収容物Ｗの上端部が、緩衝片８８の裏面に斜めに当接する。緩衝片８８は、自身の先端部が上蓋片４４の内側に係止されるので、収容物Ｗからの押圧を受けて弾性的に撓み、その撓みを復帰させようとする弾発力によって収容物Ｗの上端部を支持する。
【００３８】
以上説明したように、緩衝仕切り付き包装用箱１０は、収容物Ｗの側面を保持する収容部Ｓ２と、収容物Ｗの上下端部を保持する緩衝片８８，９２を有しているので、外部衝撃がどの向きに加わっても、収容部Ｓ２又は緩衝片８８，９２自体の柔軟性によって緩衝され、収容物Ｗが外側筒状体Ｓ１に接触しないように保護される。
【００３９】
また、外側筒状体Ｓ１などの外箱部分及び緩衝仕切りなどの内箱部分の全てを、１つの箱体形成片１０に一体に構成することができるので、工場等における部材管理が容易で、組み立て方法も簡単である。
【００４０】
次に、この考案の第二実施形態の緩衝仕切り付き包装用箱１１０について説明する。上述した緩衝仕切り付き包装用箱１０では、収容物Ｗの上下端部を緩衝的に支持する緩衝部材が、正面仕切板６８に設けた緩衝片８８，９２で構成されていたのに対し、この実施形態の緩衝仕切り付き包装用箱１１０は、図８（ａ），（ｂ）に示すように、緩衝片の構造が異なる。以下、緩衝仕切り付き包装用箱１１０の緩衝部材の構成を中心に説明し、緩衝仕切り付き包装用箱１０と同様の構成については、同一の符号を付して説明を省略する。
【００４１】
緩衝仕切り付き包装用箱１１０は、一枚の箱体形成片１１１から組み立てられ、図９に示すように、第二仕切板６６の、正面仕切板６８との連接方向に対して直角な一端辺に、略矩形の部材である緩衝片１１２が折罫線１１４で区切られて設けられている。緩衝片１１２の折罫線１１４から先端までの長さは、正面仕切板６８の連接方向長さよりもやや短く、その先端中央に矩形状に突出した係合部１１２ａが設けられている。同様に、第二仕切板６６の折罫線１１４と反対側の端辺にも、係合部１１２ａ及び緩衝片１１２とほぼ同形の係合部１１６ａ及び緩衝片１１６が、折罫線１１８で区切られて設けられている。
【００４２】
また、第一仕切板７０の、第二糊付板７２との連接方向に対して直角な一端辺に、略矩形の端面部材である緩衝片１２０が折罫線１２２で区切られて設けられている。緩衝片１２０の折罫線１２２から先端までの長さは、緩衝片１１２の長さにほぼ等しく、その先端側中央に矩形状に切欠いて成る係合部１２０ａが係合部１１２ａと係合可能に設けられている。同様に、第一仕切板７０の折罫線１２２と反対側の端辺にも、係合部１２０ａ及び緩衝片１２０とほぼ同形の係合部１２４ａ及び緩衝片１２４が、折罫線１２６で区切られて設けられている。
【００４３】
緩衝機能付包装用箱１１０を組み立てるときは、図２〜図７で説明したように、まず、箱体形成片１１１の所定箇所に糊付けして折り畳み、立体的に引き起こして外側筒状体Ｓ１及び収容部Ｓ２を形成する。
【００４４】
次に、図８（ｂ）に示すように、外側筒状体Ｓ１の下蓋の側を閉じる作業に入る。まず、折罫線１１８，１２６を正折りして緩衝片１１６，１２４を斜めに倒し、係合部１１６ａと係合部１２４ａを係合させる。すると、緩衝片１１６，１２４が逆Ｖ字状に自立し、収容部Ｓ２の下側開口部を覆う。次に、折罫線３４，４２を各々９０度に正折りしてフラップ３２，４０を倒し、さらに折罫線５６，５８を各々９０度に正折りし、下蓋片５２で外側筒状体Ｓ１の下方開口部を閉鎖すると共に、差込片５４を正面板２０の裏面側に差し込む。このようにして、図８（ａ）に示す緩衝機能付包装用箱１１０が組み立てられる。
【００４５】
この状態で、収容部Ｓ２の中に収容物Ｗを入れると、収容物Ｗの側面が、背面仕切板６４、第二仕切板６６、正面仕切板６８及び第一仕切板７０によって四方から保持され、収容物Ｗの下端部が、緩衝片１１６，１２４の裏面に斜めに当接する。緩衝片１１６，１２４は、互いに係合しながら収容物Ｗからの押圧を受けて弾性的に撓み、その撓みを復帰させようとする弾発力によって収容物Ｗの下端部を支持する。
【００４６】
次に、外側筒状体Ｓ１の上蓋の側を閉じる作業に入る。まず、折罫線１１４，１２２を正折りして緩衝片１１２，１２０を斜めに倒し、係合部１１２ａと係合部１２０ａを係合させる。すると、緩衝片１１２，１２０が逆Ｖ字状に自立し、収容部Ｓ２の上側開口部を覆う。次に、折罫線３０，３８を各々９０度に正折りしてフラップ２８，３６を倒し、さらに折罫線４８，５０を各々９０度に正折りし、上蓋片４４で外側筒状体Ｓ１の上方開口部を閉鎖すると共に、差込片４６を正面板２０の裏面側に差し込む。すると、収容物Ｗの上端部が、緩衝片１１２，１２０の裏面に斜めに当接する。緩衝片１１２，１２０は、互いに係合しながら収容物Ｗからの押圧を受けて弾性的に撓み、その撓みを復帰させようとする弾発力によって収容物Ｗの上端部を支持する。
【００４７】
以上説明したように、緩衝仕切り付き包装用箱１１０は、上記実施形態の緩衝仕切り付き包装用箱と同様の効果を奏するものであり、特に、収容物Ｗの側面を保持する収容部Ｓ２と、収容物Ｗの上下端部を保持する緩衝片１１２，１１６，１２０，１２４を有しているので、外部衝撃がどの向きから加わっても、収容部Ｓ２又は緩衝片１１２，１１６，１２０，１２４自体の柔軟性によって緩衝され、収容物Ｗが外側筒状体Ｓ１に接触しないように保護される。
【００４８】
次に、この考案の第三実施形態の緩衝仕切り付き包装用箱１３０について説明する。上述した第一実施形態の緩衝仕切り付き包装用箱１０では、収容物Ｗの上下端部を緩衝的に支持する緩衝部材が、正面仕切板６８に設けた緩衝片８８，９２で構成されていたのに対し、この実施形態の緩衝仕切り付き包装用箱１３０は、図１０（ａ），（ｂ）に示すように、緩衝片の構造が異なる。以下、緩衝仕切り付き包装用箱１３０の緩衝部材の構成を中心に説明し、緩衝仕切り付き包装用箱１０と同様の構成については、同一の符号を付して説明を省略する。
【００４９】
緩衝仕切り付き包装用箱１３０は、一枚の箱体形成片１３１から組み立てられ、図１１に示すように、正面仕切板６８の、第一仕切板７０との連接方向に対して直角な一端辺に、略矩形の部材である内蓋片１３２、第一補助緩衝片１３４及び第二補助緩衝片１３６が順に連接され、各々折罫線１３８，１４０，１４２で区切られている。内蓋片１３２の折罫線１３８から折罫線１４０までの長さは、第二仕切板６６の連接方向長さよりも僅かに長い。また、第一補助緩衝片１３４の折罫線１４０から折罫線１４２までの長さと、第二補助緩衝片１３６の折罫線１４２から先端までの長さは、第二仕切板６６の連接方向長さの１／２よりも長く、互いに等しい。正面仕切板６８の折罫線１３８と反対側の端辺には、内蓋片１４４、第一補助緩衝片１４６及び第二補助緩衝片１４８が順に連接され各々折罫線１５０，１５２，１５４で区切られている。内蓋片１４４、第一補助緩衝片１４６及び第二補助緩衝片１４８は、上記の内蓋片１３２、第一補助緩衝片１３４及び第二補助緩衝片１３６とほぼ同形である。
【００５０】
緩衝機能付包装用箱１３０を組み立てるときは、まず、図２〜図７で説明したように、箱体形成片の所定箇所に糊付けして折り畳み、立体的に引き起こして外側筒状体Ｓ１及び収容部Ｓ２を形成する。
【００５１】
次に、図１０（ｂ）に示すように、外側筒状体Ｓ１の下蓋の側を閉じる作業に入る。まず、折罫線１５０を９０度に正折りして内蓋片１４４を倒し、収容部Ｓ１の下側開口部を塞ぐ。さらに、折罫線１５２，１５４を逆折りし、第一、第二補助緩衝片１４６，１４８を逆Ｖ字状にして内蓋片１４４に近接させる。次に、折罫線３４，４２を各々９０度に正折りしてフラップ３２，４０を倒し、さらに折罫線５６，５８を各々９０度に正折りし、下蓋片５２で外側筒状体Ｓ１の下方開口部を閉鎖すると共に、差込片５４を正面板２０の裏面側に差し込む。このようにして、図１０（ａ）に示す緩衝機能付包装用箱１３０が組み立てられる。
【００５２】
この状態で、収容部Ｓ２の中に収容物Ｗを入れると、収容物Ｗの側面が、背面仕切板６４、第二仕切板６６、正面仕切板６８及び第一仕切板７０によって四方から保持され、収容物Ｗの下端部が、内蓋片１４４の裏面に当接する。第一、第二補助緩衝片１５２，１５４は、内蓋片１４４と下蓋片５２との間の空間に位置し、収容物Ｗからの押圧を受けて弾性的に撓み、その撓みを復帰させようとする弾発力によって収容物Ｗの下端部を支持する。
【００５３】
次に、外側筒状体Ｓ１の上蓋の側を閉じる作業に入る。まず、折罫線１３８を９０度に正折りして内蓋片１３２を倒し、収容部Ｓ１の上側開口部を塞ぐ。さらに、折罫線１４０，１４２を逆折りし、第一、第二補助緩衝片１３４，１３６を逆Ｖ字状にして内蓋片１３２に近接させる。次に、折罫線３０，３８を各々９０度に正折りしてフラップ２８，３６を倒し、さらに折罫線４８，５０を各々９０度に正折りし、上蓋片４４で外側筒状体Ｓ１の上方開口部を閉鎖すると共に、差込片４６を正面板２０の裏面側に差し込む。すると、収容物Ｗの上端部が、内蓋片１３２の裏面に当接する。第一、第二補助緩衝片１３４，１３６は、内蓋片１３２と上蓋片４４との間の空間に位置し、収容物Ｗからの押圧を受けて弾性的に撓み、その撓みを復帰させようとする弾発力によって収容物Ｗの上端部を支持する。
【００５４】
以上説明したように、緩衝仕切り付き包装用箱１３０も、上記実施形態の緩衝仕切り付き包装用箱と同様の効果を奏するものであり、特に、収容物Ｗの側面を保持する収容部Ｓ２と、収容物Ｗの上下端部を保持する内蓋片１３２，１４４、第一補助緩衝片１３４，１４６、第二補助緩衝片１３６，１４８を有しているので、外部衝撃がどの向きから加わっても、収容部Ｓ２、内蓋片１３２，１４４、第一補助緩衝片１３４，１４６又は、第二補助緩衝片１３６，１４８自体の柔軟性によって緩衝され、収容物Ｗが外側筒状体Ｓ１に接触しないように保護される。
【００５５】
次に、この考案の第四実施形態の緩衝仕切り付き包装用箱１６０について説明する。緩衝仕切り付き包装用箱１６０は、図１２（ａ），（ｂ）に示すように、第三実施形態の緩衝仕切り付き包装用箱１３０の構成から第二補助緩衝片１３６，１４８を省略したものであり、その他の構成は同様である。
【００５６】
緩衝仕切り付き包装用箱１６０は、緩衝仕切り付き包装用箱１３０に比べ、収容物Ｗの上下端部を保護する緩衝性能がやや劣るものの、箱体形成片が小形になって定尺ブランクシートからの取り数を多くすることができ、組み立ても容易になる。
【００５７】
次に、この考案の第五実施形態の緩衝仕切り付き包装用箱１７０について説明する。上述した第三実施形態の緩衝仕切り付き包装用箱１３０では、収容物Ｗの上下端部を緩衝的に支持する緩衝部材が、収容物Ｗの上下端部を保持する内蓋片１３２，１４４、第一補助緩衝片１３４，１４６、第二補助緩衝片１３６，１４８で構成されていたのに対し、この実施形態の緩衝仕切り付き包装用箱１７０は、図１３（ａ），（ｂ）に示すように、補助緩衝片の構造が異なる。以下、緩衝仕切り付き包装用箱１７０の緩衝部材の構成を中心に説明し、緩衝仕切り付き包装用箱１３０と同様の構成については、同一の符号を付して説明を省略する。
【００５８】
緩衝仕切り付き包装用箱１７０は、一枚の箱体形成片１７１から組み立てられ、図１４に示すように、正面仕切板６８の、第一仕切板７０との連接方向に対して直角な一端辺に、略矩形の内蓋片１３２が折罫線１３８で区切られて設けられている。内蓋片１３２の折罫線１３８から折罫線１４０までの長さは、第二仕切板６６の連接方向長さよりも僅かに長い。正面仕切板６８の折罫線１３８と反対側の端辺には、内蓋片１３２とほぼ同形の内蓋片１４４が折罫線１５０に区切られて設けられている。緩衝仕切り付き包装用箱１３０が有していた第一補助緩衝片１３４，１４６、第二補助緩衝片１３６，１４８は、ここでは設けられていない。
【００５９】
また、第一側面板１４に設けたフラップ２８の先端辺に、略矩形の第一補助緩衝片１７２が折罫線１７４で区切られて延設されている。第一補助緩衝片１７２の折罫線１７４から先端までの長さは、背面板１６の連接方向長さの１／２程度である。同様に、第一側面板１４に設けたフラップ３２の先端辺にも、第一補助緩衝片１７６が折罫線１７８で区切られて延設されている。第一補助緩衝片１７６は、上記の第一補助緩衝片１７２とほぼ同形である。
【００６０】
また、第二側面板１８に設けたフラップ３６の先端辺に、略矩形の第二補助緩衝片１８０が折罫線１８２で区切られて延設されている。第二補助緩衝片１８０の折罫線１８２から先端までの長さは、背面板１６の連接方向長さの１／２程度である。同様に、第二側面板１８に設けたフラップ４０の先端辺にも、第二補助緩衝片１８４が折罫線１８６で区切られて延設されている。第二補助緩衝片１８４は、上記の第二補助緩衝片１８０とほぼ同形である。
【００６１】
緩衝機能付包装用箱１３０を組み立てるときは、まず、図２〜図７で説明したように、箱体形成片の所定箇所に糊付けして折り畳み、立体的に引き起こして外側筒状体Ｓ１及び収容部Ｓ２を形成する。
【００６２】
次に、図１３（ｂ）に示すように、外側筒状体Ｓ１の下蓋の側を閉じる作業に入る。まず、折罫線１５０を９０度に正折りして内蓋片１４４を倒し、収容部Ｓ１の下側開口部を塞ぐ。次に、折罫線１７８，１８６を正折りし、第一、第二補助緩衝片１７６，１８４をフラップ３２，４０の裏面に近接させる。そして、折罫線３４，４２を各々９０度に正折りしてフラップ３２，４０を倒し、さらに折罫線５６，５８を各々９０度に正折りし、下蓋片５２で外側筒状体Ｓ１の下方開口部を閉鎖すると共に、差込片５４を正面板２０の裏面側に差し込む。このようにして、図１３（ａ）に示す緩衝機能付包装用箱１３０が組み立てられる。
【００６３】
この状態で、収容部Ｓ２の中に収容物Ｗを入れると、収容物Ｗの側面が、背面仕切板６４、第二仕切板６６、正面仕切板６８及び第一仕切板７０によって四方から保持され、収容物Ｗの下端部が、内蓋片１４４の裏面に当接する。第一、第二補助緩衝片１７６，１８４は、内蓋片１４４と下蓋片５２との間の空間に位置し、収容物Ｗからの押圧を受けて弾性的に撓み、その撓みを復帰させようとする弾発力によって収容物Ｗの下端部を支持する。
【００６４】
次に、外側筒状体Ｓ１の上蓋の側を閉じる作業に入る。まず、折罫線１３８を９０度に正折りして内蓋片１３２を倒し、収容部Ｓ１の上側開口部を塞ぐ。次に、折罫線１７４，１８２を正折りし、第一、第二補助緩衝片１７２，１８０をフラップ２８，３６に近接させる。そして、折罫線３０，３８を各々９０度に正折りしてフラップ２８，３６を倒し、さらに折罫線４８，５０を各々９０度に正折りし、上蓋片４４で外側筒状体Ｓ１の上方開口部を閉鎖すると共に、差込片４６を正面板２０の裏面側に差し込む。すると、収容物Ｗの上端部が、内蓋片１３２の裏面に当接する。第一、第二補助緩衝片１７２，１８０は、内蓋片１３２と上蓋片４４との間の空間に位置し、収容物Ｗからの押圧を受けて弾性的に撓み、その撓みを復帰させようとする弾発力によって収容物Ｗの上端部を支持する。
【００６５】
以上説明したように、緩衝仕切り付き包装用箱１３０も、上記実施形態の緩衝仕切り付き包装用箱と同様の効果を奏するものであり、特に、収容物Ｗの側面を保持する収容部Ｓ２と、収容物Ｗの上下端部を保持する内蓋片１３２，１４４、第一補助緩衝片１７２，１７６、第二補助緩衝片１８０，１８４を有しているので、外部衝撃がどの向きから加わっても、収容部Ｓ２、内蓋片１３２，１４４、第一補助緩衝片１７２，１７６又は、第二補助緩衝片１８０，１８４自体の柔軟性によって緩衝され、収容物Ｗが外側筒状体Ｓ１に接触しないように保護される。
【００６６】
なお、この考案は、上記実施形態に限定されるものではなく、例えば、箱体形成片の素材は、例えば紙や合成樹脂シート等が好適であるが、収容物の耐衝撃性やデザイン性に鑑みて、素材の選択や厚みの設定を自由に変更することができる。また、輸送中に乱雑に取り扱われるおそれがあるときは、外側筒状体と収容部との間隔が広くなるように、各部材の形状や配置を設定することが好ましい。
【符号の説明】
【００６７】
１０  緩衝仕切り付き包装用箱
１２  箱体形成片
１４  第一側面板
１６  背面板
１８  第二側面板
２０  正面板
２２，２４，２６，３０，３４，３８，４２，４８，５０，５６，５８，７４，９０，９４  折罫線
２８，３２，３６，４０  フラップ
４４  上蓋片
４６  差込片
５２  下蓋片
５４  差込片
６２  第一糊付板
６４  背面仕切板
６６  第二仕切板
６８  正面仕切板
７０  第一仕切板
７２  第二糊付板
７６  第一折罫線
７８  第二折罫線
８０  第三折罫線
８２  第四折罫線
８４  糊付片  
８６  切り込み
８８，９２  緩衝片
９６  第五折罫線
９８，１００，１０２  糊
１１０，１３０，１６０，１７０  緩衝仕切り付き包装用箱
１１２，１１６，１２０，１２４  緩衝片
１３２，１４４  内蓋片
１３４，１４６，１７２，１７６  第一補助緩衝片
１３６，１４８，１８０，１８４  第二補助緩衝片
【図１】
0003164694.tif 000003
【図２】
0003164694.tif 000004
【図３】
0003164694.tif 000005
【図４】
0003164694.tif 000006
【図５】
0003164694.tif 000007
【図６】
0003164694.tif 000008
【図７】
0003164694.tif 000009
【図８】
0003164694.tif 000010
【図９】
0003164694.tif 000011
【図１０】
0003164694.tif 000012
【図１１】
0003164694.tif 000013
【図１２】
0003164694.tif 000014
【図１３】
0003164694.tif 000015
【図１４】
0003164694.tif 000016